(57)【要約】 【課題】運用開始までに要する起動時間を短縮でき、故障箇所の特定が容易な無線装置を提供する。【解決手段】第１の送信機と、第２の送信機と、前記第１の送信機の送信電力及び前記第２の送信機の送信電力を制御する送信機制御装置とを備え、前記送信機制御装置が、前記無線装置の起動時に前記第１の送信機と前記第２の送信機の両方の送信電力を各送信機のハードウェア制御下で停止レベルから待機レベルまで同時に上昇させる制御を試み、その成否に基づいて前記第１の送信機と前記第２の送信機のハードウェア障害を個別に検出するハードウェア障害検出部と、ハードウェア障害が検出されなかった送信機の送信電力を、前記送信機制御装置のファームウェア制御を介在させて待機レベルから起動判定レベルまで上昇させる制御を試み、その成否に基づいてファームウェア障害を検出するファームウェア障害検出部とを備える。【選択図】図１
2014023039.tif 000002
【特許請求の範囲】
【請求項１】
第１の送信機と、第２の送信機と、前記第１の送信機の送信電力及び前記第２の送信機の送信電力を制御する送信機制御装置とを備えた無線装置であって、
前記送信機制御装置が、
前記無線装置の起動時に前記第１の送信機と前記第２の送信機の両方の送信電力を各送信機のハードウェア制御下で停止レベルから待機レベルまで同時に上昇させる制御を試み、その成否に基づいて前記第１の送信機と前記第２の送信機のハードウェア障害を個別に検出するハードウェア障害検出部と、
ハードウェア障害が検出されなかった送信機の送信電力を、前記送信機制御装置のファームウェア制御を介在させて待機レベルから起動判定レベルまで上昇させる制御を試み、その成否に基づいてファームウェア障害を検出するファームウェア障害検出部と
を備えた無線装置。
【請求項２】
前記ハードウェア障害検出部は、送信電力の上昇開始から所定の時間が経過した時点でそれぞれの送信機の送信電力が待機レベルまで上昇したか否かに基づいて、ハードウェア障害を検出することを特徴とする請求項１に記載の無線装置。
【請求項３】
前記ファームウェア障害検出部は、待機レベルにある送信電力の上昇開始から所定の時間が経過した時点で送信機の送信電力が起動判定レベルまで上昇したか否かに基づいて、ファームウェア障害を検出することを特徴とする請求項１又は２に記載の無線装置。
【請求項４】
前記ハードウェア障害検出部及び前記ファームウェア障害検出部は、それぞれ個別に決められた一定の変化率で送信電力を上昇させる制御を試みることを特徴とする請求項１乃至３のいずれか１項に記載の無線装置。
【請求項５】
ハードウェア障害とファームウェア障害の両方とも検出されなかった送信機を現用送信機と判定し、前記第１の送信機と前記第２の送信機の両方が現用送信機と判定された場合には、予め決めておいた一方の送信機を現用送信機と定め、もう一方の送信機を予備送信機と定め、現用送信機の送信電力を起動判定レベルから運用レベルまで上昇させると共に、予備送信機の送信電力を起動判定レベルから停止レベルまで下降させることを特徴とする請求項１乃至４のいずれか１項に記載の無線装置。
【請求項６】
前記第１の送信機の出力と前記第２の送信機の出力とを合成する合成部をさらに備え、前記運用レベル（Ｚ）、前記合成部の合成出力レベル（Ｇ）、前記起動判定レベル（Ｙ）、前記待機レベル（Ｘ）、及び前記停止レベル（Ｗ）が、
Ｇ＝Ｙ＋３ｄＢ      ・・・（１）
Ｚ＞Ｇ＞Ｙ＞Ｘ＞Ｗ  ・・・（２）
の両方の関係を満たすことを特徴とする請求項５に記載の無線装置。
【請求項７】
ハードウェア障害が検出された送信機の送信電力を所定の変化率で停止レベルまで下降させることを特徴とする請求項１乃至６のいずれか１項に記載の無線装置。
【請求項８】
ファームウェア障害が検出された送信機の送信電力を所定の変化率で停止レベルまで下降させることを特徴とする請求項１乃至７のいずれか１項に記載の無線装置。
【請求項９】
第１の送信機と、第２の送信機と、前記第１の送信機の送信電力及び前記第２の送信機の送信電力を制御する送信機制御装置とを備えた無線装置の起動方法であって、
前記無線装置の起動時に前記第１の送信機と前記第２の送信機の両方の送信電力を各送信機のハードウェア制御下で停止レベルから待機レベルまで同時に上昇させる制御を試み、その成否に基づいて前記第１の送信機と前記第２の送信機のハードウェア障害を個別に検出するハードウェア障害検出ステップと、
前記ハードウェア障害が検出されなかった送信機の送信電力を、前記送信機制御装置のファームウェア制御を介在させて前記待機レベルから起動判定レベルまで上昇させる制御を試み、その成否に基づいてファームウェア障害を検出するファームウェア障害検出ステップと
を含む無線装置の起動方法。
【請求項１０】
第１の送信機と、第２の送信機と、前記第１の送信機の送信電力及び前記第２の送信機の送信電力を制御する送信機制御装置とを備えた無線装置の起動プログラムであって、
コンピュータに、
前記無線装置の起動時に前記第１の送信機と前記第２の送信機の両方の送信電力を各送信機のハードウェア制御下で停止レベルから待機レベルまで同時に上昇させる制御を試み、その成否に基づいて前記第１の送信機と前記第２の送信機のハードウェア障害を個別に検出するハードウェア障害検出機能と、
前記ハードウェア障害が検出されなかった送信機の送信電力を、前記送信機制御装置のファームウェア制御を介在させて前記待機レベルから起動判定レベルまで上昇させる制御を試み、その成否に基づいてファームウェア障害を検出するファームウェア障害検出機能と
を実現させる無線装置の起動プログラム。
【発明の詳細な説明】
【技術分野】
【０００１】
本発明は、２つの送信機を備えて冗長構成とした無線装置、その起動方法及び起動プログラムに関する。
【背景技術】
【０００２】
図１３、図１４を参照して、送信機を冗長構成とした無線装置の関連技術について、その構成と起動方法を説明する。無線装置には、１つの無線周波数を使用して対向局と無線通信する形態がある。しかし、高出力で動作している無線送信機の故障により無線通信が停止してしまうことがある。このため、運用している送信機が故障したとき、すばやく予備の送信機へ切り替えて無線通信を再開させる冗長構成とすることが一般的である。
【０００３】
図１３が関連技術による無線送信機の冗長構成の一形態を示す構成図である。送信機１と送信機２のどちらかの無線送信機で運用する冗長構成としている。すなわち、この無線機は、運用を開始するとき使用する送信機（以下「現用送信機」ともいう）に障害が発生し故障したとき、予備の送信機により運用を再開できる。
【０００４】
送信機１は、変調部１ｒと周波数変換部２ｒと電力増幅部３ｒとで構成され、送信機２は変調部１ｐと周波数変換部２ｐと電力増幅部３ｐとで構成される。また、この無線装置は、送信機１の出力信号である無線増幅信号１０４ｒと送信機２の出力信号である無線増幅信号１０４ｐとを合成する合成部４と、放射器であるアンテナ部５とを備える。
【０００５】
次に、構成要素間の結びつきと各構成要素の役割、機能を説明する。
【０００６】
まず、ベースバンド信号１０１が変調部１ｒと変調部１ｐに分岐入力される。変調部１ｒ、１ｐは、分岐入力された信号を元に、無線送信出力するための変調を行い、変調信号１０２ｒ，１０２ｐをそれぞれ出力する。変調部１ｒ、１ｐは、無線装置の変調方式に応じた変調を行う。次に、周波数変換部２ｒ、２ｐは、変調信号１０２ｒ，１０２ｐを無線伝送できるように無線周波数へ変換し、無線信号１０３ｒ、１０３ｐをそれぞれ出力する。電力増幅部３ｒ、３ｐは、無線信号１０３ｒ、１０３ｐを増幅し、無線増幅信号１０４ｒ、１０４ｐを出力する。合成部４は、無線増幅信号１０４ｒと無線増幅信号１０４ｐを合成して無線送信信号１０５ｒｐを生成する。アンテナ部５は、無線送信信号１０５ｒｐを対向する局に向けて無線放射する。無線送信信号１０５ｒｐが対向局へ無線伝達することで無線伝送が可能となる。
【０００７】
次に、無線装置の起動を制御する関連技術について説明する。
【０００８】
送信機１と送信機２とで無線送信機を冗長構成とし、無線回線設計により決まる運用レベル（Ｚ）で無線通信するシステムにおいて、起動を制御する制御部は、設定情報記憶部１４と、送信レベル検出部１１と、障害検出部１７と、ＣＰＵ１２および送信レベル制御部１３とで構成される。
【０００９】
設定情報記憶部１４は、無線装置を起動するために予め必要な設定を記憶している部分である。具体的には、冗長構成とする送信機のうち優先して立ち上げる送信機（送信機１または送信機２）の指定、停止レベル（Ｗ）の制御値、運用レベル（Ｚ）の制御値、送信レベルを上昇制御するときの送信レベル変化率Ａの値、送信レベルを下降制御するときの送信レベル変化率Ｃの値に関する設定情報を保持する。設定情報記憶部１４は、装置起動時に障害検出部１７へ設定情報２１２を出力する。また、設定値を変更する場合には、ＣＰＵ１２を介して送信レベル記憶信号２０４により設定値を更新する。
【００１０】
送信レベル検出部１１は、送信機１及び送信機２の出力である無線増幅信号１０４ｒ、１０４ｐのアナログ情報を逐次入手し、無線増幅信号１０４ｒ、１０４ｐの送信レベル値をＣＰＵ１２が取り込めるデジタル情報に変換し、送信レベル検出信号２０１ｒ、２０１ｐを生成し出力する。
【００１１】
障害検出部１７は、設定情報記憶部１４から運用レベル（Ｚ）の設定情報２１２をあらかじめ入手しており、送信レベル検出信号２０１ｒ，２０１ｐをＣＰＵ１２からのタイミング情報２１１のタイミング（図１４の時刻ｔ２）で、運用レベル（Ｚ）の値と送信レベル検出信号２０１ｒ、２０１ｐが示す値とをそれぞれ比較する。その比較結果に基づき、アラームまたは正常状態を示す障害検出信号２１３ｒ、２１３ｐをＣＰＵ１２へ出力する。比較は、送信レベル検出信号が運用レベル（Ｚ）以上のとき正常状態と判定し、未満のときに障害が発生したものと判定（以下、この判定を「アラーム判定」ともいう）する。
【００１２】
送信レベル制御部１３は、ＣＰＵ１２から送られたデジタル情報である送信レベル情報信号２０２ｒ、２０２ｐを、アナログ情報へ変換して電力増幅部制御信号２０３ｒ、２０３ｐを生成し、電力増幅部３ｒ、３ｐへ出力する。電力増幅部３ｒ、３ｐは、この電力増幅部制御信号２０３ｒ、２０３ｐに応じて送信レベルを上昇又は下降制御する。
【００１３】
ＣＰＵ１２は、設定情報記憶部１４、送信レベル検出部１１、障害検出部１７、及び送信レベル制御部１３を制御する。ＣＰＵ１２は、設定情報記憶部１４に上記の設定値をあらかじめ記憶させておく。
【００１４】
次に、図１４を参照して、関連技術における送信機起動時の送信レベル制御の動作を説明する。図１４は、横軸が左から右に時間進行を表わし、縦軸は下から上に送信レベルの増加を表わしている。以下、送信機１と送信機２とで送信機能を冗長構成とし、あらかじめ送信機１を優先して送信レベルを上昇制御する（立ち上げる）場合について説明する。
【００１５】
無線装置の電源を投入すると、送信機１及び送信機２が動作を開始する。送信機１及び送信機２に電源が供給されると、各々の送信レベルは停止レベル（Ｗ）に設定され、時刻ｔ０の動作点ａから送信機１の送信レベル制御が開始する。送信レベルを停止レベル（Ｗ）から変化率Ａの割合で運用レベル（Ｚ）に向けて送信レベルを上昇させる。上昇制御は送信機外にある無線装置のＣＰＵ１２からの制御に基づいて変化率Ａの割合で行われる。変化率Ａの割合は送信機を安定制御するためにあらかじめ決めた値である。送信機１が送信レベルを上昇制御中の時刻ｔ０から時刻ｔ３の間、予備送信機である送信機２はＣＰＵ１２の制御により停止レベル（Ｗ）に固定制御する。
【００１６】
送信機１は時刻ｔ０から時刻ｔ２の間、変化率Ａで送信レベルを上昇制御されるが、送信機１の立ち上げ制御に不具合（起動障害）が発生した（図１４では時刻ｔ１で不良が生じた）場合、送信機１の送信レベルは、ＣＰＵの制御に従うことができず、運用レベル（Ｚ）に至っているはずの時刻ｔ２で運用レベル（Ｚ）に達することができない。ＣＰＵ１２は時刻ｔ２で送信機１の送信レベルが運用レベル（Ｚ）未満であることから、送信機１にアラーム判定を下し故障状態であることを認識する。
【００１７】
ＣＰＵ１２は、時刻ｔ２で送信機１が故障状態と認識した後、送信機１の送信レベルを即座に動作点ｂにて変化率Ｃで停止レベル（Ｗ）へ下降制御する。変化率Ｃは送信レベルの下降制御が安定制御できる最大変化率に設定することが望ましい。
【００１８】
また、ＣＰＵ１２の時間管理により、送信機１が停止レベル（Ｗ）に落ちた後の時刻ｔ３に、送信機２の送信レベルを動作点ｃより変化率Ａで上昇制御する。
【００１９】
送信機２に故障や障害が無い場合には、時刻ｔ４の動作点ｄで送信機２は運用レベル（Ｚ）に達し、ＣＰＵ１２が送信機２に故障や障害の無いことを判定し、送信機２による運用を開始する。
【００２０】
このように関連技術の無線装置の起動方法によると、送信機１の立ち上げ制御を開始し、その過程で送信機１の故障や障害を検出してから、送信機２で運用開始するまでの総立ち上げ時間は時刻ｔ０から時刻ｔ４までのＴ４０を要することになる。
【００２１】
送信機の故障や障害は送信レベルの上昇制御を開始し、運用レベル（Ｚ）に達したか否かで判定する。送信機１で故障や障害が発生した結果が時刻ｔ２で検出されたが、この不具合の原因は送信機のハードウェア障害か、ＣＰＵ又はファームウェア制御を介在する送信レベル制御のファームウェア障害かを切り分ける手段を有していない。
【００２２】
このため、関連技術では運用を停止した後、故障箇所の切り分け作業を行うことになる。切り分け作業は、送信機１と送信機２を入れ替えて、送信機２を優先して送信レベルを上昇制御し、上記記載と同様の手順で行う。同様の手順により、送信機２が正常起動できた場合には、送信機１が故障していた可能性が有力であると判定し、送信機２が正常起動できなかった場合には、ファームウェア障害が有力であると判定する。
【００２３】
特許文献１には、通信状態の現用送信機と非通信状態の予備送信機を備える無線通信装置において、消費電力低減及び装置の小型化、軽量化を可能にするために、予備送信機の電力増幅器の電源をＯＦＦする手段を有し、現用送信機に障害が発生すると、予備送信機の電力増幅器の電源をＯＮにし動作状態にさせて切り替えた後、現用送信機の電力増幅器の電源をＯＦＦする手段を備えることが記載されている。また、電力増幅器の動作状態をチェックするヘルスチェック手段も有している。
【００２４】
しかしながら、特許文献１に記載の無線通信装置では、送信機切り替え時間に関して、予備送信機に切り替える際に電力増幅器の電源をＯＮにするため、現用送信機を立ち下げてから予備送信機を立ち上げて起動させることになり、運用開始するまでの総立ち上げ時間が長くなってしまうという欠点がある。
【００２５】
また、特許文献１では、障害検出に関して、電力増幅器の動作状態をチェックするヘルスチェック手段を有しているが、送信機の異常や故障の原因がハードウェア障害か、ファームウェア障害かの判定手段がないため、どのような障害か分からない。さらには原因を切り分ける手段を有していないので、障害解消に時間を要してしまう欠点がある。
【００２６】
特許文献２には、ホットスタンバイ方式の無線通信システムにおいて、運用状態の現用送信機が正常に運用レベルを出力できなくなった場合に、現用送信機の異常を検出してから、予備送信機を停止レベルから待機レベルへ一度上昇制御した後に現用送信機を運用送信レベルから停止レベルへ制御することで、送信機冗長切り替えを行い、さらに安定化にかかる時間を最小限にすることが記載されている。
【００２７】
しかしながら、特許文献２では、送信機切り替え時間に関して、現用送信機を下降制御する前に予備送信機を待機レベルへ一度立ち上げ制御させるため、特許文献１より運用開始までの総立ち上げ時間は短縮される方向ではあるが、大幅な短縮効果は望めないという欠点は解消されていない。
【００２８】
また、特許文献２では、障害検出に関して、送信機の異常や故障の原因に対して検出する手段は無く、ハードウェア障害か、ファームウェア障害かも分からない。さらには原因を切り分ける手段を有していないので、障害解消に時間を要してしまう欠点がある。
【先行技術文献】
【特許文献】
【００２９】
【特許文献１】特開２００５−２７１７３号公報
【特許文献２】特開２００５−２１０５９０号公報
【発明の概要】
【発明が解決しようとする課題】
【００３０】
よって、本発明の目的は、上記欠点を解消し、運用開始までに要する起動時間を短縮できる無線装置とその起動方法及び起動プログラムを提供することである。
【課題を解決するための手段】
【００３１】
上記目的を達成するために、本発明の無線装置は、第１の送信機と、第２の送信機と、前記第１の送信機の送信電力及び前記第２の送信機の送信電力を制御する送信機制御装置とを備え、前記送信機制御装置が、前記無線装置の起動時に前記第１の送信機と前記第２の送信機の両方の送信電力を各送信機のハードウェア制御下で停止レベルから待機レベルまで同時に上昇させる制御を試み、その成否に基づいて前記第１の送信機と前記第２の送信機のハードウェア障害を個別に検出するハードウェア障害検出部と、ハードウェア障害が検出されなかった送信機の送信電力を、前記送信機制御装置のファームウェア制御を介在させて待機レベルから起動判定レベルまで上昇させる制御を試み、その成否に基づいてファームウェア障害を検出するファームウェア障害検出部とを備える。
【００３２】
また、本発明は、第１の送信機と、第２の送信機と、前記第１の送信機の送信電力及び前記第２の送信機の送信電力を制御する送信機制御装置とを備えた無線装置の起動方法であり、前記無線装置の起動時に前記第１の送信機と前記第２の送信機の両方の送信電力を各送信機のハードウェア制御下で停止レベルから待機レベルまで同時に上昇させる制御を試み、その成否に基づいて前記第１の送信機と前記第２の送信機のハードウェア障害を個別に検出するハードウェア障害検出ステップと、前記ハードウェア障害が検出されなかった送信機の送信電力を、前記送信機制御装置のファームウェア制御を介在させて前記待機レベルから起動判定レベルまで上昇させる制御を試み、その成否に基づいてファームウェア障害を検出するファームウェア障害検出ステップとを含む。
【００３３】
また、本発明は、第１の送信機と、第２の送信機と、前記第１の送信機の送信電力及び前記第２の送信機の送信電力を制御する送信機制御装置とを備えた無線装置の起動プログラムであり、コンピュータに、前記無線装置の起動時に前記第１の送信機と前記第２の送信機の両方の送信電力を各送信機のハードウェア制御下で停止レベルから待機レベルまで同時に上昇させる制御を試み、その成否に基づいて前記第１の送信機と前記第２の送信機のハードウェア障害を個別に検出するハードウェア障害検出機能と、前記ハードウェア障害が検出されなかった送信機の送信電力を、前記送信機制御装置のファームウェア制御を介在させて前記待機レベルから起動判定レベルまで上昇させる制御を試み、その成否に基づいてファームウェア障害を検出するファームウェア障害検出機能とを実現させる。
【発明の効果】
【００３４】
よって、本発明によれば運用開始までに要する起動時間を短縮できる。また、無線装置の起動過程でハードウェア障害もしくはファームウェア障害の障害発生箇所の故障判別できる効果がある。
【図面の簡単な説明】
【００３５】
【図１】本発明の無線装置の一実施の形態を示す構成図である。
【図２】本発明における送信機起動手順（ハードウェア障害検出）を示すフローチャートである。
【図３】本発明における送信機起動手順（ファームウェア障害検出）を示すフローチャートである。
【図４】本発明における送信機起動手順（ファームウェア障害検出）を示すフローチャートである。
【図５】本発明における送信機起動手順（ファームウェア障害検出）を示すフローチャートである。
【図６】本発明における送信機起動手順のハードウェア障害検出に用いるアラーム判定表１である。
【図７】本発明における送信機起動手順のファームウェア障害検出に用いるアラーム判定表２である。
【図８】本発明における送信機起動手順のファームウェア障害検出に用いるアラーム判定表３である。
【図９】本発明における送信機起動手順のファームウェア障害検出に用いるアラーム判定表４である。
【図１０】本発明における送信機起動時の送信レベル制御の動作説明図である（送信機１及び送信機２が正常起動した場合）。
【図１１】本発明における送信機起動時の送信レベル制御の動作説明図である（送信機１がハードウェア障害の場合）。
【図１２】本発明における送信機起動時の送信レベル制御の動作説明図である（送信機１がファームウェア障害の場合）。
【図１３】関連技術による無線送信機の冗長構成の一実施形態を示す構成図である。
【図１４】関連技術における送信機起動時の送信レベル制御の動作説明図である。
【発明を実施するための形態】
【００３６】
本発明の実施の形態について図面を参照して詳細に説明する。
【００３７】
［構成の説明］
図１、図１０を参照して本発明の構成を説明する。なお、図１、図１０内の付加番号と関連技術の構成図である図１３、図１４内の付加番号が同一のものは、同一機能、動作をすることを意図している。図１０は送信機１が優先して現用送信機として動作するようにあらかじめ設定されている場合の動作説明図である。
【００３８】
図１は、送信機１と送信機２のどちらか一方の無線送信機で運用する冗長構成とした無線装置の構成を示す。運用開始時に用いられる送信機１（現用）と、送信機１に障害が発生し故障したときに用いられる送信機２（予備）とを備え、現用通信機に障害が発生しても予備送信機により運用を再開できる。
【００３９】
送信機１は、変調部１ｒと周波数変換部２ｒと電力増幅部３ｒとで構成され、送信機２は変調部１ｐと周波数変換部２ｐと電力増幅部３ｐとで構成される。また、無線装置は、送信機１の出力信号である無線増幅信号１０４ｒと、送信機２の出力信号である無線増幅信号１０４ｐとを合成する合成部４と、放射器であるアンテナ部５とを備える。
【００４０】
次に、構成要素間の結びつきと各構成要素の役割、機能を説明する。
【００４１】
まず、ベースバンド信号１０１が変調部１ｒと変調部１ｐに分岐入力される。変調部１ｒ、１ｐは、分岐入力された信号を元に、無線送信出力するための変調を行い、変調信号１０２ｒ，１０２ｐをそれぞれ出力する。変調部１ｒ、１ｐは無線装置の変調方式に応じた変調を行う。次に、周波数変換部２ｒ、２ｐは、変調信号１０２ｒ，１０２ｐを無線伝送できるように無線周波数へ変換し、無線信号１０３ｒ、１０３ｐをそれぞれ出力する。電力増幅部３ｒ、３ｐは、無線信号１０３ｒ、１０３ｐをそれぞれ増幅し、無線増幅信号１０４ｒ、１０４ｐを出力する。合成部４は、無線増幅信号１０４ｒと無線増幅信号１０４ｐを合成して無線送信信号１０５ｒｐを生成する。アンテナ部５は、無線送信信号１０５ｒｐを対向する局に向けに無線放射する。無線送信信号１０５ｒｐが対向局へ無線伝達することで無線伝送が可能となる。
【００４２】
次に無線装置の送信機１及び２の起動を制御する送信機制御装置３０の構成を説明する。本発明と上記関連技術とで大きく異なる構成は、送信機の障害を監視してアラーム検出するための障害検出部が、関連技術では障害検出部１７の１つであるのに対して、本発明では、ハードウェア障害検出部１５とファームウェア障害検出部１６の２つを備えることである。
【００４３】
送信機１と送信機２とで無線送信機を冗長構成とし、回線設計により決まる運用レベル（Ｚ）で無線通信する無線装置の起動を制御する送信機制御装置３０は、設定情報記憶部１４、送信レベル検出部１１、ハードウェア障害検出部１５、ファームウェア障害検出部１６、ＣＰＵ１２および送信レベル制御部１３で構成される。
【００４４】
設定情報記憶部１４は、無線装置を起動するために予め必要な設定を記憶している部分である。具体的には、冗長構成とする送信機のうち優先して立ち上げる送信機（送信機１または送信機２）の指定、停止レベル（Ｗ）の制御値、待機レベル（Ｘ）の制御値、起動判定レベル（Ｙ）の制御値、運用レベル（Ｚ）の制御値、送信レベルの変化率Ａの値、変化率Ｂの値、変化率Ｃの値に関する設定情報を保持する。装置起動時にハードウェア障害検出部１５へ設定情報２０５を出力し、ファームウェア障害検出部１６へ設定情報２０７を出力する。また、ＣＰＵ１２を介して上記設定値を変更する場合には送信レベル記憶信号２０４により設定値を更新する。
【００４５】
送信レベル検出部１１は、送信機１及び送信機２の出力である無線増幅信号１０４ｒ，１０４ｐのアナログ信号を逐次入手し、各々をＣＰＵが取り込めるデジタル情報に変換し、送信レベル検出信号２０１ｒ，２０１ｐを出力する。なお、本書において、「送信レベル」を、「送信出力」や「送信電力」ということもあるが、いずれも同義である。
【００４６】
ハードウェア障害検出部１５は、設定情報記憶部１４から設定情報信号２０５により待機レベル（Ｘ）の値を装置起動時にあらかじめ入手しておく。そして、送信レベル検出信号２０１ｒ，２０１ｐをＣＰＵ１２から送られるタイミング情報２０９のタイミング（図１０の時刻ｔ５）で、送信レベル検出信号２０１ｒ，２０１ｐが示す値と待機レベル（Ｘ）の値とをそれぞれ比較する。その比較結果に基づき、ハードウェア障害（ア）によるアラーム（障害発生）または正常状態を示す障害検出信号２０６ｒ，２０６ｐをＣＰＵ１２へ出力する。
【００４７】
ファームウェア障害検出部１６は、設定情報記憶部１４から設定情報信号２０７により起動判定レベル（Ｙ）の値および運用レベル（Ｚ）の値を装置起動時にあらかじめ入手しておく。そして、送信レベル検出信号２０１ｒ，２０１ｐをＣＰＵ１２から送られるタイミング情報２１０のタイミング（図１０の時刻ｔ６）で、送信レベル検出信号２０１ｒ，２０１ｐが示す値と起動判定レベル（Ｙ）の値もしくは運用レベル（Ｚ）の値とをそれぞれ比較する。その比較結果に基づき、ファームウェア障害（イ）によるアラーム（障害発生）または正常状態を示す障害検出信号２０８ｒ，２０８ｐをＣＰＵ１２へ出力する。
【００４８】
ＣＰＵ１２は、運用を開始する送信機１および送信機２の送信レベルを停止レベル（Ｗ）から上昇制御を開始する時刻ｔ０の動作点ｆから時間の計数を開始し、時刻ｔ５までの間、送信機１および送信機２の送信レベル情報信号２０２ｒおよび２０２ｐにより変化率Ｂで上昇する送信レベルを確認する。次に、ＣＰＵ１２は、時間計数が時刻ｔ５の動作点ｇに至ったとき、タイミング情報２０９をハードウェア障害検出部１５に出力する。ＣＰＵ１２は、このときの送信レベルが待機レベル（Ｘ）以上か未満かの判定結果を示す障害検出信号２０６ｒ，２０６ｐを収集する。送信機１と送信機２の両方が正常ならば、送信機にハードウェア障害が発生しておらず、正常判定とする。送信機１又は送信機２のどちらか一方又は両方のハードウェア障害検出において障害が発生したことを示すアラーム（起動障害発生）判定ならば、起動障害を検出した送信機の送信レベルを停止レベル（Ｗ）へ変化率Ｃで下降制御するための送信レベル情報信号２０２ｒまたは２０２ｐを出力する。
【００４９】
また、ＣＰＵ１２は、送信機１および送信機２の両方にハードウェア障害が検出されない場合には、送信レベルが待機レベル（Ｘ）に達する時刻ｔ５（動作点ｇ）から時間の計数を継続し、時刻ｔ６までの間、送信機１及び送信機２の送信レベルを送信レベル情報信号２０２ｒ及び２０２ｐにより変化率Ａで上昇制御する。次に、ＣＰＵ１２は、時間計数が時刻ｔ６の動作点ｈになったとき、タイミング情報２１０をファームウェア障害検出部１６に出力する。ＣＰＵ１２は、このときの送信レベルが起動判定レベル（Ｙ）以上か未満かの判定結果を示す障害検出信号２０８ｒ及び２０８ｐをファームウェア障害検出部１６から入力する。送信機１と送信機２の両方の送信レベルが正常ならば、ファームウェア制御に障害はなく正常状態であると判定する。送信機１又は送信機２のどちらか一方にファームウェア障害が検出されてアラーム判定（起動障害発生）となった場合には、起動障害を検出した送信機の送信レベルを停止レベル（Ｗ）へ変化率Ｃで下降制御するための送信レベル情報信号２０２ｒまたは２０２ｐを出力する。
【００５０】
さらに、ＣＰＵ１２は、無線回線設計で決まる最大送信レベルを考慮し、合成部４における送信機１と送信機２の送信レベルの合成値である合成送信レベル（Ｇ）が、運用レベル（Ｚ）を超えないよう（Ｚ＞Ｇ＝Ｙ＋３ｄＢ）設定する必要がある。時刻ｔ６で送信機１および送信機２の送信レベルがともに起動判定レベル（Ｙ）に達した場合、動作点ｈでは、送信機１及び送信機２がともに同一周波数の無線信号を送信しているため、共に干渉し合っている状態である。よって、時刻ｔ６を超えると、あらかじめ優先して現用送信機として用いることを決めておいた送信機１の送信レベルを運用レベルへ上昇制御するとともに、予備送信機である送信機２の送信レベルを停止レベル（Ｗ）へ下降制御することで干渉状態を解消する。
【００５１】
送信レベル制御部１３は、ＣＰＵ１２から送られる送信レベル情報信号２０２ｒおよび２０２ｐに応じて、電力増幅部制御信号２０３ｒおよび２０３ｐを電力増幅部３ｒおよび３ｐにそれぞれ送る。これに応じて電力増幅部３ｒおよび３ｐは送信レベルを上昇又は下降制御する。
【００５２】
次に、設定情報記憶部１４に記憶させる各種の設定情報を説明する。
【００５３】
まず、停止レベル（Ｗ）、待機レベル（Ｘ）、起動判定レベル（Ｙ）および運用レベル（Ｚ）について説明する。
【００５４】
停止レベル（Ｗ）は、無線装置が起動前および起動時を想定したものであり、送信レベルが未出力の状態を示すものである。
【００５５】
待機レベル（Ｘ）は、送信機１及び送信機２においてハードウェア障害（ア）を検出するための閾値を決める最小送信レベル値である。待機レベル（Ｘ）は、送信機が起動開始してから障害なく正常に出力しているか否かの基準、或いは、ハードウェア障害（ア）が判定され通信に使用する送信機が選択されて送信レベルを上昇（立ち上げる）又は下降（立ち下げる）させるときの基準となる１段階目のレベルを示すものである。また、送信機の起動時に、ハードウェアにより自発的に変化率Ｂの割合で立ち上がる際の送信機１及び送信機２が出力する送信レベルの上限値でもある。
【００５６】
起動判定レベル（Ｙ）は、送信機１及び送信機２においてファームウェア障害（イ）を検出するための閾値を決める値である。起動判定レベル（Ｙ）は、送信機が起動開始してからハードウェア障害（ア）がなく、さらにファームウェア障害（イ）がなく正常に出力しているか否かの基準、或いは、ファームウェア障害（イ）が判定され通信に使用する送信機が選択されて送信レベルを立ち上げる又は立ち下げるための基準となる２段階目のレベルを示すものである。
【００５７】
運用レベル（Ｚ）は、無線通信システムは無線回線ロスが少ないような晴天の日であっても、無線回線ロスが多い雨天の日であっても、対向局への信号通過を維持する必要があり、またフェージング等の影響による無線回線ロスの増減にも対応できるように、マージンを考慮した無線回線設計をした観点から定めるものである。また、無線装置の起動過程で送信機１と送信機２とが合成されたときの合成レベル（Ｇ＝Ｙ＋３ｄＢ）に対し、運用レベル（Ｚ）の値を、Ｚ＞Ｇの関係を満たすように設定する。
【００５８】
これらの送信レベルの関係は、２つの送信機が同時に送信出力することで干渉してもスペクトラムマスク規定に影響しないように、送信機１と送信機２の合成レベル値（Ｇ＝Ｙ＋３ｄＢ）との関係も考慮して設定する。よって、待機レベル（Ｘ）は起動判定レベル（Ｙ）より低いレベル（Ｙ＞Ｘ）となり、起動判定レベル（Ｙ）は合成レベル値（Ｇ）との関係がＧ＝Ｙ＋３ｄＢ＞Ｙより、運用レベル（Ｚ）より低いレベル（Ｚ＞Ｙ）となる結果、Ｚ＞Ｇ＝Ｙ＋３ｄＢ＞Ｙ＞Ｘ＞Ｗとなるように設定する必要がある。
【００５９】
［動作の説明］  
図２〜図１３を参照して、本発明の無線装置の起動手順を説明する。前提として、送信機１を優先して運用する現用送信機とし、送信機２を予備の送信機とする。
【００６０】
図２〜図５は、本発明における送信機の起動手順を示すフローチャートである。まず、図２を参照して、ハードウェア障害の検出工程を説明する。
【００６１】
初期設定として、待機レベル（Ｘ）と、起動判定レベル（Ｙ）と、運用レベル（Ｚ）と、ＣＰＵ１２によるファームウェア制御にて送信レベルを立ち上げる際の傾きを決める送信レベル上昇制御の変化率Ａの値と、送信機のハードウェア制御に基づいた送信レベルの変化率Ｂの値と、送信レベルを下降制御するための変化率Ｃの値とをあらかじめ設定情報記憶部１４に設定する（図２のステップＳ１）。
【００６２】
装置起動時に、設定情報記憶部１４からハードウェア障害検出部１５に待機レベル（Ｘ）の設定情報２０５を設定し、設定情報記憶部１４からファームウェア障害検出部１６に起動判定レベル（Ｙ）および運用レベル（Ｚ）の設定情報２０７を設定する。また、ＣＰＵ１２から送信レベル制御部１３を介して送信機１及び送信機２を制御して同時に起動し、送信レベルを立ち上げる。この時の送信レベル上昇制御は送信機のハードウェア制御に基づいた変化率Ｂの割合で、停止レベル（Ｗ）から待機レベル（Ｘ）に向けた変換制御となる（図２のステップＳ２、時刻ｔ０）。
【００６３】
起動開始後、送信機１及び送信機２の送信レベルを認識するため、ＣＰＵ１２はハードウェア障害検出部１５へタイミング情報２０９を出力する。送信レベル検出部１１は、このタイミングで電力増幅部３ｒ、３ｐから出力される無線増幅信号１０４ｒ，１０４ｐを検波しその送信レベルを検出する。（図２のステップＳ３、時刻ｔ５）。
【００６４】
ハードウェア障害検出部１５は、ハードウェア障害（ア）を検出するため、送信機１及び送信機２の各送信レベルが待機レベル（Ｘ）以上か未満かを調べる。具体的には、送信レベル検出信号２０１ｒ，２０１ｐが示す値と、起動時に設定情報記憶部１４から設定された設定情報信号２０５の待機レベル（Ｘ）の値を比較する。（図２のステップＳ４、時刻ｔ５）。
【００６５】
ハードウェア障害検出部１５は、ハードウェア障害（ア）を検出するために、送信機１及び送信機２の各送信レベルが待機レベル（Ｘ）以上か未満かを調べてアラーム判定を行う（ステップＳ５）。アラーム判定の結果は、図６の表１記載の通り“００／０１／１０／１１”で表わす。
【００６６】
ここで、“００”は、送信機１と送信機２の両方とも送信レベルが待機レベル（Ｘ）以上となったことを示し、“０１”は、送信機１の送信レベルが待機レベル（Ｘ）以上となったが、送信機２の送信レベルが待機レベル（Ｘ）未満であったことを示し、“１０”は、送信機２の送信レベルが待機レベル（Ｘ）以上となったが、送信機１の送信レベルが待機レベル（Ｘ）未満であったことを示し、“１１”は、送信機１と送信機２の両方とも送信レベルが待機レベル（Ｘ）未満であったことを示す（図２のステップＳ５、及び図６のアラーム判定表１、時刻ｔ５）。
【００６７】
次に、ハードウェア障害検出（アラーム判定）結果における上記４つの場合の動作を説明する。
【００６８】
ステップＳ５の判定結果が“００”の場合、送信機１と送信機２の両方とも送信レベルが待機レベル（Ｘ）以上となったため、障害が検出されなかったことを示す（図２のステップＳ６）。その場合、ＣＰＵ１２は、ハードウェア障害検出部１５からハードウェア障害検出信号２０６ｒが送られると、送信機１に対して、変化率Ａの割合で待機レベル（Ｘ）から起動判定レベル（Ｙ）に向けた上昇変換制御を開始し（図２のステップＳ７）、ハードウェア障害検出部１５からハードウェア障害検出信号２０６ｐが送られると、送信機２に対して、変化率Ａの割合で待機レベル（Ｘ）から起動判定レベル（Ｙ）に向けた上昇変換制御を開始する（図２のステップＳ８）。
【００６９】
ステップＳ５の判定結果が“０１”の場合、送信機１の送信レベルは待機レベル（Ｘ）以上となったが、送信機２の送信レベルは待機レベル（Ｘ）未満であったため、送信機２に障害が検出されたことを示す（図２のステップＳ９）。この場合、ＣＰＵ１２は、まずハードウェア障害検出部１５からハードウェア障害検出信号２０６ｐが送られると、送信機２に対して、変化率Ｃの割合で待機レベル（Ｘ）から停止レベル（Ｗ）に向けた下降変換制御を開始し（図２のステップＳ１０）、次にハードウェア障害検出部１５からハードウェア障害検出信号２０６ｒが送られると、送信機１に対して、変化率Ａの割合で待機レベル（Ｘ）から起動判定レベル（Ｙ）に向けた上昇変換制御を開始する（図２のステップＳ１１）。
【００７０】
ステップＳ５の判定結果が“１０”の場合、送信機２の送信レベルが待機レベル（Ｘ）以上となったが、送信機１の送信レベルが待機レベル（Ｘ）未満であったため、送信機１に障害が検出されたことを示す（図２のステップＳ１２）。この場合、ＣＰＵ１２は、まずハードウェア障害検出部１５からハードウェア障害検出信号２０６ｒが送られると、送信機１に対して、変化率Ｃの割合で待機レベル（Ｘ）から停止レベル（Ｗ）に向けた下降変換制御を開始し（図２のステップＳ１３）、次にハードウェア障害検出部１５からハードウェア障害検出信号２０６ｐが送られると、送信機２に対して、変化率Ａの割合で待機レベル（Ｘ）から起動判定レベル（Ｙ）に向けた上昇変換制御を開始する（図２のステップＳ１４）。
【００７１】
ステップＳ５の判定結果が“１１”の場合、送信機１及び送信機２とも送信レベルが待機レベル（Ｘ）未満であったため、送信機１及び送信機２の両方に対して障害が検出されたことを示す（図２のステップＳ１５）。この場合、ＣＰＵ１２は、まずハードウェア障害検出部１５からハードウェア障害検出信号２０６ｒが送られると、送信機１に対して、変化率Ｃの割合で待機レベル（Ｘ）から停止レベル（Ｗ）に向けた下降変換制御を開始し（図２のステップＳ１６）、次にハードウェア障害検出部１５からハードウェア障害検出信号２０６ｐが送られると、送信機２に対して、変化率Ｃの割合で待機レベル（Ｘ）から停止レベル（Ｗ）に向けた下降変換制御を開始する（図２のステップＳ１７）。この場合、送信機１及び送信機２は起動出来ず運用に使えない状態であることが分かるため、送信機を交換又は修理する必要がある（図２のステップＳ１８）。
【００７２】
次に、図３〜図５を参照してファームウェア障害の検出工程を説明する。
【００７３】
第１に、図２に示すフローチャートにおいてハードウェア障害検出（アラーム判定）の結果が、“００”の場合のファームウェア障害検出工程を説明する（図２のＩ及び図３のＩ）。
【００７４】
この場合は、ハードウェア障害検出判定後、送信機１及び送信機２とも送信レベルが待機レベル（Ｘ）以上となり、ＣＰＵ１２が起動判定レベル（Ｙ）に向けた上昇変換制御を開始しているため、ファームウェア障害検出判定は送信機１及び送信機２とも実施することになる。
【００７５】
ハードウェア障害検出判定後、送信機１及び送信機２の送信レベルを認識するため、ＣＰＵ１２はファームウェア障害検出部１６へタイミング情報２１０を出力する。送信レベル検出部１１は、このタイミングで電力増幅部３ｒ、３ｐから出力される無線増幅信号１０４ｒ，１０４ｐを検波しその送信レベルを検出する。（図３のステップＳ１９、時刻ｔ６）。
【００７６】
ファームウェア障害検出部１６は、ファームウェア障害（イ）を検出するため、送信機１及び送信機２の各送信レベルが起動判定レベル（Ｙ）以上か未満かを調べる。具体的には、送信レベル検出信号２０１ｒ，２０１ｐが示す値と、起動時に設定情報記憶部１４から設定された設定情報信号２０７の起動判定レベル（Ｙ）の値を比較する。（図３のステップＳ２０、時刻ｔ５）。
【００７７】
ファームウェア障害検出部１６は、ファームウェア障害（イ）を検出するため、送信機１及び送信機２の各送信レベルが起動判定レベル（Ｙ）以上か未満かをアラーム判定する。アラーム判定結果は図７に示す表２記載の通り“００／０１／１０／１１”で表わす。
【００７８】
ここで、“００”は、送信機１及び送信機２とも送信レベルが起動判定レベル（Ｙ）以上となったことを示し、“０１”は、送信機１の送信レベルが起動判定レベル（Ｙ）以上となったが、送信機２の送信レベルが起動判定レベル（Ｙ）未満であったことを示し、“１０”は、送信機２の送信レベルが起動判定レベル（Ｙ）以上となったが、送信機１の送信レベルが起動判定レベル（Ｙ）未満であったことを示し、“１１”は、送信機１及び送信機２とも送信レベルが起動判定レベル（Ｙ）未満であったことを示す（図３のステップＳ２１及び図７のアラーム判定表２、時刻ｔ６）。
【００７９】
次に、第１のファームウェア障害検出（アラーム判定）の結果における上記４つの場合の動作を説明する。
【００８０】
ステップＳ２１の判定結果が“００”の場合、送信機１及び送信機２とも送信レベルが起動判定レベル（Ｙ）以上となったため、両送信機とも障害が検出されなかったことを示す（図３のステップＳ２２）。この場合、ＣＰＵ１２は、まず、ファームウェア障害検出部１６からファームウェア障害検出信号２０８ｐが送られると、予備として運用に使用しない送信機２に対して、変化率Ｃの割合で起動判定レベル（Ｙ）から停止レベル（Ｗ）に向けた下降変換制御を開始し（図３のステップＳ２３）、次に、ファームウェア障害検出部１６からファームウェア障害検出信号２０８ｒが送られると、送信機１に対して、変化率Ａの割合で起動判定レベル（Ｙ）から運用レベル（Ｚ）に向けた上昇変換制御を開始する（図３のステップＳ２４）。
【００８１】
その後、ファームウェア障害検出部１６は、最終的に送信機１の送信レベルが運用レベル（Ｚ）と一致するか調べる。具体的には、送信レベル検出信号２０１ｒが示す値と、起動時に設定情報記憶部１４から設定された設定情報信号２０７の運用レベル（Ｚ）の値を比較する。運用レベル（Ｚ）と一致すると、起動完了となり、運用開始となる（図３のステップＳ２５、時刻ｔ７）。
【００８２】
ステップＳ２１の判定結果が“０１”の場合、送信機１の送信レベルが起動判定レベル（Ｙ）以上となったが、送信機２の送信レベルが起動判定レベル（Ｙ）未満であったため、送信機２に対して障害が検出されたことを示す（図３のステップＳ２６）。送信機１及び送信機２に対する以降の動作は、“００”の場合と同じフローになる。（図３のステップＳ２３→ステップＳ２４→ステップＳ２５、時刻ｔ７）。
【００８３】
ステップＳ２１の判定結果が“１０”の場合、送信機２の送信レベルが起動判定レベル（Ｙ）以上となったが、送信機１の送信レベルが起動判定レベル（Ｙ）未満であったため、送信機１に障害が検出されたことを示す（図３のステップＳ２７）。この場合、ＣＰＵ１２は、まずファームウェア障害検出部１６からファームウェア障害検出信号２０８ｒが送られると、現用として優先的に運用に使用する予定だった送信機１に対して、変化率Ｃの割合で起動判定レベル（Ｙ）から停止レベル（Ｗ）に向けた下降変換制御を開始し（図３のステップＳ２８）、次にファームウェア障害検出部１６からのファームウェア障害検出信号２０８ｐが送られると、送信機２に対して、変化率Ａの割合で起動判定レベル（Ｙ）から運用レベル（Ｚ）に向けた上昇変換制御を開始する（図３のステップＳ２９）。
【００８４】
その後、ファームウェア障害検出部１６は、最終的に送信機２の送信レベルが運用レベル（Ｚ）と一致するかを調べる。具体的には、送信レベル検出信号２０１ｐが示す値と、起動時に設定情報記憶部１４から設定された設定情報信号２０７の運用レベル（Ｚ）値を比較する。運用レベル（Ｚ）と一致すると、起動完了となり、運用開始となる（図３のステップＳ２５、時刻ｔ７）。
【００８５】
ステップＳ２１の判定結果が“１１”の場合、送信機１及び送信機２とも送信レベルが起動判定レベル（Ｙ）未満であったため、障害は送信機１及び送信機２の両方に障害が検出されたことを示す（図３のステップＳ３０）。この場合、ＣＰＵ１２は、まずファームウェア障害検出部１６からファームウェア障害検出信号２０８ｒが送られると、送信機１に対して、変化率Ｃの割合で起動判定レベル（Ｙ）から停止レベル（Ｗ）に向けた下降変換制御を開始し（図３のステップＳ２８）、次にファームウェア障害検出部１６からファームウェア障害検出信号２０８ｐが送られると、送信機２に対して、変率Ｃの割合で起動判定レベル（Ｙ）から停止レベル（Ｗ）に向けた下降変換制御を開始する（図３のステップＳ３１）。この場合、送信機１及び送信機２は起動出来ず運用に使えない状態であることが分かるため、状況として無線装置全体を監視制御するＣＰＵとの通信路障害も視野に入れて原因を確認する対応をとる（図３のステップＳ３２）。
【００８６】
第２に、図２に示すフローチャートにおいてハードウェア障害検出（アラーム判定）の結果が、“０１”の場合のファームウェア障害検出工程を説明する（図２のII及び図３のII）。
【００８７】
この場合は、ハードウェア障害検出判定の結果、送信機２に障害が検出されたことにより、その送信レベルが停止レベル（Ｗ）となるため、ファームウェア障害検出判定は自動で実行しないか、または判定除外と認識させる。よって、ファームウェア障害検出判定は、送信レベルが待機レベル（Ｘ）以上であり、ＣＰＵ１２により起動判定レベル（Ｙ）に向けた上昇変換制御を開始している送信機１のみ実施することになる。
【００８８】
ハードウェア障害検出判定後、ＣＰＵ１２は、送信機１の送信レベルを認識するため、ファームウェア障害検出部１６にタイミング情報２１０を出力する。送信レベル検出部１１は、このタイミングで電力増幅部３ｒから出力される無線増幅信号１０４ｒを検波し、前記送信機１の送信レベルを検出する。（図４のステップＳ３３、時刻ｔ６）。
【００８９】
ファームウェア障害検出部１６は、ファームウェア障害（イ）を検出するため、送信機１の送信レベルが起動判定レベル（Ｙ）以上か未満かを調べる。具体的には、送信レベル検出信号２０１ｒが示す値と、起動時に設定情報記憶部１４から設定された設定情報信号２０７の起動判定レベル（Ｙ）の値を比較する。（図３のステップＳ３４、時刻ｔ６）。
【００９０】
ファームウェア障害検出部１６は、ファームウェア障害（イ）を検出するために、送信機１の送信レベルが起動判定レベル（Ｙ）以上か未満かをアラーム判定する。アラーム判定結果は、図８に示す表３記載の通り“０／１”で表わす。
【００９１】
ここで、“０”は、送信機１の送信レベルが起動判定レベル（Ｙ）以上となったことを示し、“１”は、送信機１の送信レベルが起動判定レベル（Ｙ）未満であったことを示す（図３のステップＳ３５及び図８のアラーム判定表３、時刻ｔ６）。
【００９２】
次に、第２のファームウェア障害検出（アラーム判定）の結果における上記２つの場合の動作を説明する。
【００９３】
ステップＳ３５の判定結果が“０”の場合、送信機１の送信レベルが起動判定レベル（Ｙ）以上となったため、両送信機に障害が検出されなかったことを示す（図３のステップＳ３６）。この場合、ＣＰＵ１２は、ファームウェア障害検出部１６からのファームウェア障害検出信号２０８ｒが送られると、現用の送信機１に対して、変化率Ａの割合で起動判定レベル（Ｙ）から運用レベル（Ｚ）に向けた上昇変換制御を開始する（図３のステップＳ３７）。
【００９４】
その後、ファームウェア障害検出部１６は、最終的に送信機１の送信レベルが運用レベル（Ｚ）と一致するかを調べる。具体的には、送信レベル検出信号２０１ｒが示す値と、起動時に設定情報記憶部１４から設定された設定情報信号２０７の運用レベル（Ｚ）値を比較する。運用レベル（Ｚ）と一致すると、起動完了となり、運用開始となる（図３のステップＳ３８、時刻ｔ７）。
【００９５】
ステップＳ３５の判定結果が“１”の場合、送信機１の送信レベルが起動判定レベル（Ｙ）未満であったため、送信機１に対して障害が検出されたことを示す（図３のステップＳ３９）。この場合、ＣＰＵ１２は、ファームウェア障害検出部１６からファームウェア障害検出信号２０８ｒが送られると、送信機１に対して、変化率Ｃの割合で起動判定レベル（Ｙ）から停止レベル（Ｗ）に向けた下降変換制御を開始する（図３のステップＳ４０）。この場合、ハードウェア障害検出された送信機２に続き、送信機１は起動出来ず運用に使えない状態であることが分かったが、状況としては送信機２と異なり、無線装置全体を監視制御するＣＰＵとの通信路障害も視野に入れて原因を確認する対応となる（図３のステップＳ４１）。
【００９６】
第３に、図２に示すフローチャートにおいてハードウェア障害検出（アラーム判定）の結果が、“１０”の場合のファームウェア障害検出工程を説明する（図２のIII及び図５のIII）。
【００９７】
この場合は、ハードウェア障害検出判定後、送信機１に対して障害検出されたことにより送信レベルは停止レベル（Ｗ）となるため、ファームウェア障害検出判定は自動で実行しないか、または判定除外と認識させる。よって、ファームウェア障害検出判定は、送信レベルが待機レベル（Ｘ）以上であり、ＣＰＵ１２により起動判定レベル（Ｙ）に向けた上昇変換制御を開始している送信機２のみ実施することになる。
【００９８】
ハードウェア障害検出判定後、ＣＰＵ１２は、送信機２の送信レベルを認識するため、ファームウェア障害検出部１６にタイミング情報２１０を出力する。送信レベル検出部１１は、このタイミングで電力増幅部３ｐから出力される無線増幅信号１０４ｐを検波し、前記送信機２の送信レベルを検出する。（図５のステップＳ４２、時刻ｔ６）。
【００９９】
ファームウェア障害検出部１６は、ファームウェア障害（イ）を検出するため、送信機２の送信レベルが起動判定レベル（Ｙ）以上か未満かを調べる。具体的には、送信レベル検出信号２０１ｐが示す値と、起動時に設定情報記憶部１４から設定された設定情報信号２０７の起動判定レベル（Ｙ）の値を比較する。（図５のステップＳ４３、時刻ｔ６）。
【０１００】
ファームウェア障害検出部１６は、ファームウェア障害（イ）を検出するために、送信機２の送信レベルが起動判定レベル（Ｙ）以上か未満かをアラーム判定する。アラーム判定結果は図９に示す表４記載の通り“０／１”で表わす。
【０１０１】
ここで、“０”は、送信機２の送信レベルが起動判定レベル（Ｙ）以上となったことを示し、“１”は、送信機２の送信レベルが起動判定レベル（Ｙ）未満であったことを示す（図５のステップＳ４４及び図９のアラーム判定表４、時刻ｔ６）。
【０１０２】
次に、第３のファームウェア障害検出（アラーム判定）の結果における上記２つの場合の動作を説明する。
【０１０３】
ステップＳ４４の判定結果が“０”の場合、送信機２の送信レベルが起動判定レベル（Ｙ）以上となったため、障害は検出されなかったことを示す（図５のステップＳ４５）。この場合、ＣＰＵ１２は、ファームウェア障害検出部１６からファームウェア障害検出信号２０８ｐが送られると、予備の送信機２に対して、変化率Ａの割合で起動判定レベル（Ｙ）から運用レベル（Ｚ）に向けた上昇変換制御を開始する（図５のステップＳ４６）。
【０１０４】
その後、ファームウェア障害検出部１６は、最終的に送信機２の送信レベルが運用レベル（Ｚ）と一致するかを調べる。具体的には、送信レベル検出信号２０１ｐが示す値と、起動時に設定情報記憶部１４から設定された設定情報信号２０７の運用レベル（Ｚ）値を比較する。運用レベル（Ｚ）と一致すると、起動完了となり、運用開始となる（図５のステップＳ４７、時刻ｔ７）。
【０１０５】
ステップＳ４４の判定結果が“１”の場合、送信機２の送信レベルが起動判定レベル（Ｙ）未満であったため、送信機２に対して障害が検出されたことを示す（図５のステップＳ４８）。この場合、ＣＰＵ１２は、ファームウェア障害検出部１６からファームウェア障害検出信号２０８ｐが送られると、送信機２に対して、変化率Ｃの割合で起動判定レベル（Ｙ）から停止レベル（Ｗ）に向けた下降変換制御を開始する（図５のステップＳ４９）。この場合、ハードウェア障害が検出された送信機１に続き、送信機２は起動出来ず運用に使えない状態であることが分かったが、状況としては送信機１と異なり、無線装置全体を監視制御するＣＰＵとの通信路障害も視野に入れた確認対応となる（図５のステップＳ５０）。
【０１０６】
以上で、本発明における送信機の起動手順を示すフローチャートによる説明は終わる。
【０１０７】
次に、図１０、図１１、図１２を参照して、本発明における送信機起動時の送信レベル制御を説明する。図１４同様に、横軸が左から右に時間進行を表わし、縦軸は下から上に送信レベルの増加を表わす。また、前提として、送信機１を優先して運用する現用とし、送信機２を予備として冗長構成とする。
【０１０８】
第１のパターンとして、送信機１及び送信機２が問題なく正常起動する場合を例として説明する。
【０１０９】
無線装置の電源を投入すると、送信機１及び送信機２が動作を開始する。送信機１及び送信機２に電源が供給されると、ともに送信レベルが停止レベル（Ｗ）に設定され、時刻ｔ０の動作点ｆから送信機１及び送信機２の送信レベル制御が開始する。送信レベルを停止レベル（Ｗ）から変化率Ｂの割合で、まずは待機レベル（Ｘ）に向けて同時に送信レベルを上昇させる。変化率Ｂの割合は、送信機のハードウェア制御に基づいた変化率である。
【０１１０】
送信機１及び送信機２は時刻ｔ０からｔ５のハードウェア障害（ア）検出期間に変化率Ｂで送信レベルを上昇制御するが、送信機１及び送信機２の送信レベルが待機レベル（Ｘ）へ達する時刻ｔ５に、送信レベルが待機レベル（Ｘ）以上か未満かを調べてハードウェア障害検出（アラーム判定）した結果、送信機１及び送信機２ともハードウェア障害（ア）は発生しておらず、時刻ｔ５の動作点ｇにて送信レベルが待機レベル（Ｘ）以上となっている。
【０１１１】
よって、ＣＰＵは、時刻ｔ５の動作点ｇにて、送信機１及び送信機２に故障や障害が無いことを確認して、送信レベルを待機レベル（Ｘ）から変化率Ａの割合で、起動判定レベル（Ｙ）に向けてほぼ同時に上昇させる。変化率Ａの割合は、ＣＰＵからの制御に基づいた変化率である。
【０１１２】
送信機１及び送信機２は起動判定レベル（Ｙ）に向けて上昇制御を続け、時刻ｔ５からｔ６のファームウェア障害（イ）検出期間に変化率Ａで送信レベルを上昇制御する。そして、送信機１及び送信機２の送信レベルが起動判定レベル（Ｙ）に達する時刻ｔ６に、送信レベルが起動判定レベル（Ｙ）以上か未満かを調べてファームウェア障害検出（アラーム判定）する。その結果、送信機１及び送信機２とも、ファームウェア障害（イ）は発生しておらず、時刻ｔ６の動作点ｈにて送信レベルが起動判定レベル（Ｙ）以上となっている。
【０１１３】
よって、ＣＰＵは、時刻ｔ６の動作点ｈにて、送信機１及び送信機２に故障や障害が無いことを確認して、送信機２の送信レベルを起動判定レベル（Ｙ）から変化率Ｃの割合で、停止レベル（Ｗ）に向けて下降させる。変化率Ｃの割合は、送信機のハードウェア制御に基づいた変化率である。そして順序としてはその後であるがほぼ同時に、送信機１の送信レベルを起動判定レベル（Ｙ）から変化率Ａの割合で、運用レベル（Ｚ）に向けて上昇させる。
【０１１４】
その結果、送信機２の送信レベルは停止レベル（Ｗ）となり、送信機１の送信レベルは運用レベル（Ｚ）に達しているはずの時刻ｔ７の動作点ｋにて問題なければ運用レベル（Ｚ）に達し、送信機１による運用を開始する。
【０１１５】
送信機１及び送信機２を同時に立ち上げ制御を開始し、その過程で送信機１及び送信機２に故障や障害を検出しない場合には、運用開始するまでの総立ち上げ時間は、時刻ｔ０から時刻ｔ７までのＴ７０を要することになる。
【０１１６】
第２のパターンとして、送信機１にハードウェア障害が起きて、送信機２は問題なく正常起動する場合を例として説明する。
【０１１７】
無線装置の電源を投入すると、送信機１及び送信機２が動作を開始し、送信機１及び送信機２がともに停止レベル（Ｗ）の送信レベルとなり、時刻ｔ０の動作点ｆから送信レベルを停止レベル（Ｗ）から変化率Ｂの割合で、待機レベル（Ｘ）に向けて同時に上昇させるのは、第１のパターンと同じである。
【０１１８】
送信機１及び送信機２は、時刻ｔ０からｔ５のハードウェア障害（ア）検出期間に変化率Ｂで送信レベルを上昇制御する。送信機１及び送信機２の送信レベルが待機レベル（Ｘ）へ達する時刻ｔ５までに送信機１にハードウェア障害（ア）が発生した場合、送信レベルが待機レベル（Ｘ）以上か未満かを調べてハードウェア障害検出（アラーム判定）を行う。その結果、送信機１には送信機自身に不具合があり、待機レベル（Ｘ）に達しているはずの時刻ｔ５で待機レベル（Ｘ）未満であることが分かり、ＣＰＵは時刻ｔ５の動作点ｇで送信機１が故障状態であることを認識する。
【０１１９】
この場合、ＣＰＵは、時刻ｔ５で送信機１が故障状態と認識した後、動作点ｍにて送信機１の送信レベルを即座に変化率Ｃで停止レベル（Ｗ）へ下降制御する。また、正常な送信機２はハードウェア障害（ア）は発生せず、時刻ｔ５の動作点ｇにて待機レベル（Ｘ）以上となっている。よって、時刻ｔ５の動作点ｇにて、ＣＰＵは送信機２に故障や障害が無いことを確認して、送信レベルを待機レベル（Ｘ）から変化率Ａの割合で起動判定レベル（Ｙ）に向けて上昇させる。
【０１２０】
その後、送信機２は、起動判定レベル（Ｙ）に向けて上昇制御を続け、時刻ｔ５からｔ６のファームウェア障害（イ）検出期間に変化率Ａで送信レベルを上昇制御する。送信機２の送信レベルが起動判定レベル（Ｙ）へ達する時刻ｔ６に、送信レベルが起動判定レベル（Ｙ）以上か未満かを調べてファームウェア障害検出（アラーム判定）を行う。その結果、送信機２にファームウェア障害（イ）は発生しておらず、時刻ｔ６の動作点ｈにて起動判定レベル（Ｙ）以上となっている。よって、ＣＰＵは送信機２に故障や障害が無いことを確認して、送信レベルを起動判定レベル（Ｙ）から変化率Ａの割合で運用レベル（Ｚ）に向けて上昇させる。
【０１２１】
その結果、送信機２の送信レベルは、運用レベル（Ｚ）に達しているはずの時刻ｔ７の動作点ｋにて問題なければ運用レベル（Ｚ）に達し、送信機２による運用を開始する。
【０１２２】
送信機１及び送信機２について同時に立ち上げ制御を開始し、その過程で送信機１に故障や障害を検出し、送信機２に故障や障害を検出しない場合には、運用開始するまでの総立ち上げ時間は、時刻ｔ０から時刻ｔ７までのＴ７０を要することになり、第１のパターンと同じになる。
【０１２３】
ここで、送信機１が問題なく正常起動し、送信機２にハードウェア障害が起きた場合は、送信機１と送信機２が変わるだけであり、動作は同じである。
【０１２４】
第３のパターンとして、送信機１にハードウェア障害はなくファームウェア障害が起きて、送信機２は問題なく正常起動する場合を例として説明する。
【０１２５】
無線装置の電源を投入すると、送信機１及び送信機２が動作を開始し、送信機１及び送信機２がともに停止レベル（Ｗ）の送信レベルとなり、時刻ｔ０の動作点ｆから送信レベルを停止レベル（Ｗ）から変化率Ｂの割合で、待機レベル（Ｘ）に向けて同時に上昇させるのは、上記第１及び第２のパターンと同じである。
【０１２６】
また、送信機１及び送信機２は、ハードウェア障害（ア）検出工程において両方ともハードウェア障害（ア）が検出されず、時刻ｔ５の動作点ｇにて、待機レベル（Ｘ）以上となっており、ＣＰＵが、時刻ｔ５の動作点ｇにて故障や障害が無いことを確認して、送信レベルを待機レベル（Ｘ）から変化率Ａの割合で起動判定レベル（Ｙ）に向けてほぼ同時に上昇させる点は、上記第１のパターンと同じである。
【０１２７】
その後、送信機１及び送信機２は、時刻ｔ５からｔ６のファームウェア障害（イ）検出期間に変化率Ａで送信レベルを上昇制御する。送信機１及び送信機２の送信レベルが起動判定レベル（Ｙ）へ達する時刻ｔ６までに、送信機１には、ファームウェア障害（イ）が発生している。送信レベルが起動判定レベル（Ｙ）以上か未満か調べてファームウェア障害検出（アラーム判定）を行った結果、送信機１の送信レベルは、ＣＰＵの制御に従うことができず、起動判定レベル（Ｙ）に達しているはずの時刻ｔ６で起動判定レベル（Ｙ）未満であることが分かり、ＣＰＵは時刻ｔ６の動作点ｈで送信機１が故障状態であることを判定し認識する。
【０１２８】
送信機２は、起動判定レベル（Ｙ）に向けて上昇制御を続け、時刻ｔ５からｔ６のファームウェア障害（イ）検出期間に変化率Ａで送信レベルを上昇制御する。送信機２の送信レベルが起動判定レベル（Ｙ）へ達する時刻ｔ６に、送信レベルが起動判定レベル（Ｙ）以上か未満かを調べてファームウェア障害検出（アラーム判定）を行う。送信機２にファームウェア障害（イ）は発生せず、時刻ｔ６の動作点ｈにて起動判定レベル（Ｙ）以上となっている。よって、ＣＰＵは送信機２に故障や障害が無いことを確認して、送信レベルを起動判定レベル（Ｙ）から変化率Ａの割合で運用レベル（Ｚ）に向けて上昇させる。
【０１２９】
その結果、送信機２の送信レベルは運用レベル（Ｚ）に達しているはずの時刻ｔ７の動作点ｋにて問題なければ運用レベル（Ｚ）に到達する。送信機２による運用を開始する動作は、第２のパターンについて説明した送信機２の正常動作と同じである。
【０１３０】
よって、第２のパターンと同様に、送信機１及び送信機２に対して同時に立ち上げ制御を開始してから運用開始するまでの総立ち上げ時間は、時刻ｔ０から時刻ｔ７までのＴ７０を要することになり、第１及び第２のパターンと同じになる。
【０１３１】
ここで、送信機１が問題なく正常起動し、送信機２にファームウェア障害が起きた場合は、送信機１と送信機２が変わるだけであり、動作は同じである。
【０１３２】
以上説明したように、本実施形態によれば、２つの送信機を備えて冗長構成とした無線装置の起動に関し、運用開始までに要する起動時間を短縮できる。また、無線装置を起動する際に生じた障害が、ハードウェア障害（ア）であるのか、ファームウェア障害（イ）であるのか、障害発生箇所の判別が起動過程で切り分け可能となる。よって、故障発生後に、送信機障害等のハードウェア障害（ア）か、通信路障害等を含んだファームウェア障害（イ）かの切り分け調査が不要になり、その間、無線装置の運用を停止する必要もなくなる。
【実施例１】
【０１３３】
本発明は関連技術と比較すると、送信レベル起動を短時間に完了して、早期に無線回線通信させることでサービス開始時間を短縮できる効果がある。このことを、図１０の送信レベル制御の動作図を用いて説明する。以下、具体的数値例を示す。
【０１３４】
まず、図１４に示す関連技術の無線装置起動時間について、障害なく正常起動する場合を説明する。運用レベル（Ｚ）と停止レベル（Ｗ）との差を４０ｄＢとし、変化率Ａを２ｄＢ／ｓｅｃ、変化率Ｃを４０ｄＢ／ｓｅｃとした場合、起動開始（動作点ａ）から起動完了までの時間は２０ｓｅｃを要する。
【０１３５】
同様に、本発明の実施例を図１０を参照して説明すると、無線装置の起動開始後、送信機１及び送信機２が障害なく正常起動する場合は、上記関連技術と同様に、運用レベル（Ｚ）と停止レベル（Ｗ）との差を４０ｄＢとし、変化率Ａを２ｄＢ／ｓｅｃ、変化率Ｃを４０ｄＢ／ｓｅｃとし、さらに本発明として追加する待機レベル（Ｘ）を１０ｄＢ、起動判定レベル（Ｙ）を３０ｄＢ、変化率Ｂを５ｄＢ／ｓｅｃとする。ここで待機レベル（Ｘ）は運用レベル（Ｚ）に対し約２５％のレベルに設定して１０ｄＢとし、起動判定レベル（Ｙ）は運用レベル（Ｚ）に対し７５％のレベルに設定して３０ｄＢとしている。
【０１３６】
送信機１と送信機２を同時に起動させるが、ハードウェア障害（ア）及びファームウェア障害（イ）の発生がないため、図１０に示すように送信機１は起動開始（動作点ｆ）から起動完了（動作点ｋ）までの時間は、待機レベル（Ｘ）に達するまでの１０ｄＢ上昇に必要な時間＝２ｓ（時刻ｔ５の動作点ｇ）、起動判定レベル（Ｙ）に達するまでの２０ｄＢ上昇（３０ｄＢ−１０ｄＢ）に必要な時間＝１０ｓｅｃ（時刻ｔ６の動作点ｈ）、運用レベル（Ｚ）に達するまでの１０ｄＢ上昇（４０ｄＢ−３０ｄＢ）に必要な時間＝５ｓｅｃ（時刻ｔ７の動作点ｋ）であり、時間（Ｔ７０：ｔ７−ｔ０）は２ｓｅｃ＋１０ｓｅｃ＋５ｓｅｃ＝１７ｓｅｃを要することとなる。予備として立ち上げた送信機２は、待機レベル（Ｘ）までの時刻ｔ５＝２ｓｅｃ、起動判定レベル（Ｙ）に達するまでの時間ｔ６＝１０ｓｅｃにより、ここまで時間（時刻ｔ６−ｔ０）は２ｓｅｃ＋１０ｓｅｃ＝１２ｓｅｃを要する。しかし送信機１が正常であるため、送信機２は時刻ｔ６の動作点ｈにて送信レベル＝２６ｄＢを起動判定レベル（Ｙ）から変化率Ｃ＝４０ｄＢ／ｓｅｃの割合で、停止レベル（Ｗ）に向けて下降させる。その時間が１ｓｅｃ以内であることより、時間は１２ｓｅｃ＋１ｓｅｃ＝１３ｓｅｃを要し、送信機１の起動完了時間＝１７ｓｅｃ未満であり、無線装置として起動完了時間（Ｔ７０：ｔ７−ｔ０）は１７ｓｅｃとなる。よって、無線装置起動時間において送信機１及び送信機２が障害なく正常起動する場合を考えた場合、関連技術の２０ｓｅｃに対して、本発明では１７ｓｅｃで送信起動制御を完了できる。
【０１３７】
次に、無線装置の起動開始後、送信機１にハードウェア障害が起きるが、送信機２は問題なく正常起動する場合を説明する。関連技術では、図１４に示すように現用とする送信機１が起動障害を起こして立ち上がらなくなってしまったとすると、動作点ａから運用レベル（Ｚ）に達するまでの時間が２０ｓｅｃ（＝時刻ｔ２）と、送信機１が起動障害と判定されて送信切替制御により予備の送信機２が起動して送信レベルが立ち上がり始めるまでの時間（時刻ｔ３−ｔ２）が２ｓｅｃ掛かるとすると、時間ｔ３は２０ｓｅｃ＋２ｓｅｃ＝２２ｓｅｃを要する。その後、送信機２が起動して（動作点ｃ）運用レベル（Ｚ）に達する（動作点ｄ）までの時間（時刻ｔ４−ｔ３）も変化率Ａで立ち上がるため、２０ｓｅｃを要することになり、起動完了（動作点ｄ）までの時間（Ｔ４０：ｔ４−ｔ０）は２２ｓｅｃ＋２０ｓｅｃ＝４２ｓｅｃを要したことになる。
【０１３８】
起動障害が発生して送信機１の送信レベルが停止レベル（Ｗ）まで下降するのに要する時間は、変化率Ｃ＝４０ｄＢ／ｓｅｃで立ち下がるため、１ｓｅｃ以内で完了している。
【０１３９】
次に、本発明の実施例を図１１を参照して説明する。各設定値は上記同様、運用レベル（Ｚ）と停止レベル（Ｗ）との差を４０ｄＢとし、変化率Ａを２ｄＢ／ｓｅｃ、変化率Ｃを４０ｄＢ／ｓｅｃであり、本発明として追加する待機レベル（Ｘ）を１０ｄＢ、起動判定レベル（Ｙ）を３０ｄＢ、変化率Ｂを５ｄＢ／ｓｅｃとし、送信機１と送信機２を同時に起動させる。
【０１４０】
送信機１及び送信機２は時刻ｔ０からｔ５のハードウェア障害（ア）検出期間に変化率Ｂ＝５ｄＢ／ｓｅｃで送信レベルを上昇制御する。送信機１及び送信機２の送信レベルが待機レベル（Ｘ）へ達するはずの時刻ｔ５までに、送信機１にハードウェア障害（ア）が発生している。両送信機に対して、送信レベルが待機レベル（Ｘ）以上か未満かを調べてハードウェア障害検出（アラーム判定）を行う。送信機１は送信機自身に不具合があり、待機レベル（Ｘ）に達しているはずの時刻ｔ５で待機レベル（Ｘ）以上になることができない。よって、ＣＰＵは時刻ｔ５の動作点ｇにて送信機１が故障状態であることを認識する。ここまでに要した時間は１０ｓｅｃである。
【０１４１】
この場合、ＣＰＵが時刻ｔ５で送信機１が故障状態と認識した後、即座に時刻ｔ５の動作点ｍにて、送信機１の送信レベルを変化率Ｃ＝４０ｄＢ／ｓｅｃで停止レベル（Ｗ）へ下降制御する。また、正常な送信機２はハードウェア障害（ア）が発生していないため、時刻ｔ５の動作点ｇにて待機レベル（Ｘ）以上となっている。よって、ＣＰＵは送信機２に故障や障害が無いことを確認して、時刻ｔ５の動作点ｇにて送信レベルを待機レベル（Ｘ）から変化率Ａ＝２ｄＢ／ｓｅｃの割合で、起動判定レベル（Ｙ）に向けて上昇させる。
【０１４２】
その後、送信機２は起動判定レベル（Ｙ）に向けて２０ｄＢ上昇制御を続け、時刻ｔ５からｔ６のファームウェア障害（イ）検出期間に変化率Ａ＝２ｄＢ／ｓｅｃで送信レベルを上昇制御する。送信機２の送信レベルが起動判定レベル（Ｙ）へ達するはずの時刻ｔ６に、送信レベルが起動判定レベル（Ｙ）以上か未満かを調べてファームウェア障害検出（アラーム判定）を行う。送信機２にファームウェア障害（イ）は発生しておらず、時刻ｔ６の動作点ｈにて起動判定レベル（Ｙ）以上となっている。この期間、２０ｄＢ上昇に掛かる時間（時刻ｔ５からｔ６）が１０ｓｅｃなので、起動開始からここまでの時間は１０ｓｅｃ＋１０ｓｅｃ＝２０ｓｅｃである。ＣＰＵは、送信機２に故障や障害が無いことを確認後、送信レベルを起動判定レベル（Ｙ）から変化率Ａ＝２ｄＢ／ｓｅｃの割合で、運用レベル（Ｚ）に向けて上昇させる。
【０１４３】
最終的に送信機２の送信レベルが時刻ｔ７の動作点ｋで、障害なく運用レベル（Ｚ）に達すれば、無線装置として起動完了時間（Ｔ７０：ｔ７−ｔ０）は２ｓｅｃ＋１０ｓｅｃ＋５ｓｅｃ＝１７ｓｅｃを要して、送信機２による運用を開始する。
【０１４４】
従って、無線装置起動時間において送信機１に起動障害が起きた場合の切り替えを考えた場合、関連技術の４２ｓｅｃに対して本発明では１７ｓｅｃで送信起動制御が完了できる。結果として、関連技術の手順と本発明の手順では、２９ｓｅｃも短縮できる効果をもたらす。
【０１４５】
次に、無線通信起動時に障害が発生したときの障害箇所の範囲のきり分けの実施例として、関連技術による装置の場合と本発明による装置の場合と比較して以下に説明する。
【０１４６】
関連技術では運用を停止した後、故障箇所を特定するために障害箇所の範囲の切り分け作業を行うことになる。切り分け作業は、送信機１と送信機２を入れ替えて、送信機２を優先して送信レベルを上昇制御し、上記記載と同様の手順で行う。その結果、送信機２が正常起動できた場合には、送信機１の故障が有力と判定し、送信機２が正常起動できなかった場合には、ファームウェア障害が有力であると判定する。
【０１４７】
これに対して、本発明の実施例では、送信機の無線通信起動過程で送信機のハードウェア障害か、ＣＰＵ又はファームウェア制御が介在するファームウェア障害による通信路等の障害かを切り分ける機能を有しているため、障害箇所切り分けのための運用停止が不要となる。障害箇所はＣＰＵを介して保守者へ報告され、即座に故障箇所の修復を開始できる。
【０１４８】
送信機のハードウェア障害時は送信機を交換、修理し、その間は予備の送信機で運用を継続する。また、ファームウェア障害時はＣＰＵ〜送信機間の通信路（たとえばケーブル）を交換する場合もあるが、この間も予備の送信機で運用を継続する。
【０１４９】
なお、上記の無線装置は、ハードウェア、ソフトウェア又はこれらの組合わせにより実現することができる。また、上記の無線装置の起動方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１５０】
プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１５１】
上記の実施形態の一部又は全部は、以下の付記のようにも記載されうるが、以下には限られない。
【０１５２】
（付記１）
第１の送信機と、第２の送信機と、前記第１の送信機の送信電力及び前記第２の送信機の送信電力を制御する送信機制御装置とを備えた無線装置であって、
前記送信機制御装置が、
前記無線装置の起動時に前記第１の送信機と前記第２の送信機の両方の送信電力を各送信機のハードウェア制御下で停止レベルから待機レベルまで同時に上昇させる制御を試み、その成否に基づいて前記第１の送信機と前記第２の送信機のハードウェア障害を個別に検出するハードウェア障害検出部と、
前記ハードウェア障害が検出されなかった送信機の送信電力を、前記送信機制御装置のファームウェア制御を介在させて前記待機レベルから起動判定レベルまで上昇させる制御を試み、その成否に基づいてファームウェア障害を検出するファームウェア障害検出部と
を備えた無線装置。
【０１５３】
（付記２）
前記ハードウェア障害検出部は、送信電力を上昇させる制御の開始時から所定の時間が経過した時点で前記第１の送信機と前記第２の送信機のそれぞれの送信電力が待機レベルまで上昇したか否かに基づいて、ハードウェア障害を個別に検出することを特徴とする付記１に記載の無線装置。
【０１５４】
（付記３）
前記ファームウェア障害検出部は、待機レベルにある送信機の送信電力を上昇させる制御の開始時から所定の時間が経過した時点において前記送信機の送信電力が起動判定レベルまで上昇したか否かに基づいて、ファームウェア障害を検出することを特徴とする付記１又は２に記載の無線装置。
【０１５５】
（付記４）
前記ハードウェア障害検出部及び前記ファームウェア障害検出部は、それぞれ個別に決められた一定の変化率で送信電力を上昇させる制御を試みることを特徴とする付記１乃至３のいずれか１に記載の無線装置。
【０１５６】
（付記５）
ハードウェア障害とファームウェア障害の両方とも検出されなかった送信機を現用送信機と判定し、前記第１の送信機と前記第２の送信機の両方が現用送信機と判定された場合には、予め決めておいた一方の送信機を現用送信機と定め、もう一方の送信機を予備送信機と定め、現用送信機の送信電力を起動判定レベルから運用レベルまで上昇させると共に、予備送信機の送信電力を起動判定レベルから停止レベルまで下降させることを特徴とする付記１乃至４のいずれか１に記載の無線装置。
【０１５７】
（付記６）
前記第１の送信機の出力と前記第２の送信機の出力とを合成する合成部をさらに備え、前記運用レベル（Ｚ）、前記合成部の合成出力レベル（Ｇ）、前記起動判定レベル（Ｙ）、前記待機レベル（Ｘ）、及び前記停止レベル（Ｗ）が、
Ｇ＝Ｙ＋３ｄＢ      ・・・（１）
Ｚ＞Ｇ＞Ｙ＞Ｘ＞Ｗ  ・・・（２）
の両方の関係を満たすことを特徴とする付記５に記載の無線装置。
【０１５８】
（付記７）
ハードウェア障害が検出された送信機の送信電力を所定の変化率で停止レベルまで下降させることを特徴とする付記１乃至６のいずれか１に記載の無線装置。
【０１５９】
（付記８）
ファームウェア障害が検出された送信機の送信電力を所定の変化率で停止レベルまで下降させることを特徴とする付記１乃至７のいずれか１に記載の無線装置。
【０１６０】
（付記９）
第１の送信機と、第２の送信機と、前記第１の送信機の送信電力及び前記第２の送信機の送信電力を制御する送信機制御装置とを備えた無線装置の起動方法であって、
前記無線装置の起動時に前記第１の送信機と前記第２の送信機の両方の送信電力を各送信機のハードウェア制御下で停止レベルから待機レベルまで同時に上昇させる制御を試み、その成否に基づいて前記第１の送信機と前記第２の送信機のハードウェア障害を個別に検出するハードウェア障害検出ステップと、
前記ハードウェア障害が検出されなかった送信機の送信電力を、前記送信機制御装置のファームウェア制御を介在させて前記待機レベルから起動判定レベルまで上昇させる制御を試み、その成否に基づいてファームウェア障害を検出するファームウェア障害検出ステップと
を含む無線装置の起動方法。
【０１６１】
（付記１０）
前記ハードウェア障害検出ステップは、送信電力を上昇させる制御の開始時から所定の時間が経過した時点で前記第１の送信機と前記第２の送信機のそれぞれの送信電力が待機レベルまで上昇したか否かに基づいて、ハードウェア障害を個別に検出することを特徴とする付記９に記載の無線装置の起動方法。
【０１６２】
（付記１１）
前記ファームウェア障害検出ステップは、待機レベルにある送信機の送信電力を上昇させる制御の開始時から所定の時間が経過した時点において前記送信機の送信電力が起動判定レベルまで上昇したか否かに基づいて、ファームウェア障害を検出することを特徴とする付記９又は１０に記載の無線装置の起動方法。
【０１６３】
（付記１２）
前記ハードウェア障害検出ステップ及び前記ファームウェア障害検出ステップは、それぞれ個別に決められた一定の変化率で送信電力を上昇させる制御を試みることを特徴とする付記９乃至１１のいずれか１に記載の無線装置の起動方法。
【０１６４】
（付記１３）
ハードウェア障害とファームウェア障害の両方とも検出されなかった送信機を現用送信機と判定し、前記第１の送信機と前記第２の送信機の両方が現用送信機と判定された場合には、予め決めておいた一方の送信機を現用送信機と定め、もう一方の送信機を予備送信機と定め、現用送信機の送信電力を起動判定レベルから運用レベルまで上昇させると共に、予備送信機の送信電力を起動判定レベルから停止レベルまで下降させることを特徴とする付記９乃至１２のいずれか１に記載の無線装置の起動方法。
【０１６５】
（付記１４）
前記無線送信機が前記第１の送信機の出力と前記第２の送信機の出力とを合成する合成部をさらに備え、前記運用レベル（Ｚ）、前記合成部の合成出力レベル（Ｇ）、前記起動判定レベル（Ｙ）、前記待機レベル（Ｘ）、及び前記停止レベル（Ｗ）が、
Ｇ＝Ｙ＋３ｄＢ      ・・・（１）
Ｚ＞Ｇ＞Ｙ＞Ｘ＞Ｗ  ・・・（２）
の両方の関係を満たすことを特徴とする付記１３に記載の無線装置の起動方法。
【０１６６】
（付記１５）
ハードウェア障害が検出された送信機の送信電力を所定の変化率で停止レベルまで下降させることを特徴とする付記９乃至１４のいずれか１に記載の無線装置の起動方法。
【０１６７】
（付記１６）
ファームウェア障害が検出された送信機の送信電力を所定の変化率で停止レベルまで下降させることを特徴とする付記９乃至１５のいずれか１に記載の無線装置の起動方法。
【０１６８】
（付記１７）
第１の送信機と、第２の送信機と、前記第１の送信機の送信電力及び前記第２の送信機の送信電力を制御する送信機制御装置とを備えた無線装置の起動プログラムであって、
コンピュータに、
前記無線装置の起動時に前記第１の送信機と前記第２の送信機の両方の送信電力を各送信機のハードウェア制御下で停止レベルから待機レベルまで同時に上昇させる制御を試み、その成否に基づいて前記第１の送信機と前記第２の送信機のハードウェア障害を個別に検出するハードウェア障害検出機能と、
前記ハードウェア障害が検出されなかった送信機の送信電力を、前記送信機制御装置のファームウェア制御を介在させて前記待機レベルから起動判定レベルまで上昇させる制御を試み、その成否に基づいてファームウェア障害を検出するファームウェア障害検出機能と
を実現させる無線装置の起動プログラム。
【０１６９】
（付記１８）
前記ハードウェア障害検出機能は、送信電力を上昇させる制御の開始時から所定の時間が経過した時点で前記第１の送信機と前記第２の送信機のそれぞれの送信電力が待機レベルまで上昇したか否かに基づいて、ハードウェア障害を個別に検出することを特徴とする付記１７に記載の無線装置の起動プログラム。
【０１７０】
（付記１９）
前記ファームウェア障害検出機能は、待機レベルにある送信機の送信電力を上昇させる制御の開始時から所定の時間が経過した時点において前記送信機の送信電力が起動判定レベルまで上昇したか否かに基づいて、ファームウェア障害を検出することを特徴とする付記１７又は１８に記載の無線装置の起動プログラム。
【０１７１】
（付記２０）
前記ハードウェア障害検出ステップ及び前記ファームウェア障害検出ステップは、それぞれ個別に決められた一定の変化率で送信電力を上昇させる制御を試みることを特徴とする付記１７乃至１９のいずれか１に記載の無線装置の起動プログラム。
【０１７２】
（付記２１）
ハードウェア障害とファームウェア障害の両方とも検出されなかった送信機を現用送信機と判定し、前記第１の送信機と前記第２の送信機の両方が現用送信機と判定された場合には、予め決めておいた一方の送信機を現用送信機と定め、もう一方の送信機を予備送信機と定め、現用送信機の送信電力を起動判定レベルから運用レベルまで上昇させると共に、予備送信機の送信電力を起動判定レベルから停止レベルまで下降させることを特徴とする付記１７乃至２０のいずれか１に記載の無線装置の起動プログラム。
【０１７３】
（付記２２）
前記無線送信機が前記第１の送信機の出力と前記第２の送信機の出力とを合成する合成部をさらに備え、前記運用レベル（Ｚ）、前記合成部の合成出力レベル（Ｇ）、前記起動判定レベル（Ｙ）、前記待機レベル（Ｘ）、及び前記停止レベル（Ｗ）が、
Ｇ＝Ｙ＋３ｄＢ      ・・・（１）
Ｚ＞Ｇ＞Ｙ＞Ｘ＞Ｗ  ・・・（２）
の両方の関係を満たすことを特徴とする付記２１に記載の無線装置の起動プログラム。
【０１７４】
（付記２３）
ハードウェア障害が検出された送信機の送信電力を所定の変化率で停止レベルまで下降させることを特徴とする付記１７乃至２２のいずれか１に記載の無線装置の起動プログラム。
【０１７５】
（付記２４）
ファームウェア障害が検出された送信機の送信電力を所定の変化率で停止レベルまで下降させることを特徴とする付記１７乃至２３のいずれか１に記載の無線装置の起動プログラム。
【産業上の利用可能性】
【０１７６】
本発明は種々の無線通信網の基地局において用いられる送信機や、放送に用いられるテレビジョン送信機などにも利用できる。
【符号の説明】
【０１７７】
１，２      送信機
１ｒ，１ｐ  変調部
２ｒ，２ｐ  周波数変換部
３ｒ，３ｐ  電力増幅部
４          合成部
５          アンテナ部
１１        送信レベル検出部
１２        ＣＰＵ
１３        送信レベル制御部
１４        設定情報記憶部
１５        ハードウェア障害検出部
１６        ファームウェア障害検出部
１７        障害検出部
３０        送信機制御装置
１０１              ベースバンド信号
１０２ｒ，１０２ｐ  変調信号
１０３ｒ，１０３ｐ  無線信号
１０４ｒ，１０４ｐ  無線増幅信号
１０５ｒｐ          無線送信信号
２０１ｒ，２０１ｐ  送信レベル検出信号
２０２ｒ，２０２ｐ  送信レベル情報信号
２０３ｒ，２０３ｐ  電力増幅部制御信号
２０４              送信レベル記憶信号
２０５              設定情報信号
２０６ｒ，２０６ｐ  ハードウェア障害検出信号
２０７              設定情報信号
２０８ｒ，２０８ｐ  ファームウェア障害検出信号
２０９，２１０      タイミング情報信号
２１１              タイミング情報信号
２１２              設定情報信号
２１３ｒ，２１３ｐ  障害検出信号
【図１】
2014023039.tif 000003
【図２】
2014023039.tif 000004
【図３】
2014023039.tif 000005
【図４】
2014023039.tif 000006
【図５】
2014023039.tif 000007
【図６】
2014023039.tif 000008
【図７】
2014023039.tif 000009
【図８】
2014023039.tif 000010
【図９】
2014023039.tif 000011
【図１０】
2014023039.tif 000012
【図１１】
2014023039.tif 000013
【図１２】
2014023039.tif 000014
【図１３】
2014023039.tif 000015
【図１４】
2014023039.tif 000016